(57)【要約】 【課題】小型化、軽量化し、音質が向上した音響ユニットである音響出力機能を有する偏光フィルムアセンブリを提供する。【解決手段】入射光のうち、偏光軸と平行な光の振動成分を透過させる偏光子層を含む偏光フィルムと、前記偏光フィルム上に配置され、電気信号を機械的振動に変換して音波を放射するスピーカーフィルムと、前記偏光フィルムと前記スピーカーフィルムとの間に介在され、前記スピーカーフィルムの機械的振動を活性化する振動活性層と、前記スピーカーフィルムと電気的に連結されて前記電気信号を伝達する配線部とを有する。【選択図】      図１
2007028641.tif 000002
【特許請求の範囲】
【請求項１】
入射光のうち、偏光軸と平行な光の振動成分を透過させる偏光子層を含む偏光フィルムと、
前記偏光フィルム上に配置され、電気信号を機械的振動に変換して音波を放射するスピーカーフィルムと、
前記偏光フィルムと前記スピーカーフィルムとの間に介在され、前記スピーカーフィルムの機械的振動を活性化する振動活性層と、
前記スピーカーフィルムと電気的に連結されて前記電気信号を伝達する配線部とを有することを特徴とする偏光フィルムアセンブリ。
【請求項２】
前記スピーカーフィルムは、前記電気信号が入力される第１電極及び第２電極と、
前記第１電極及び第２電極との間に介在される圧電フィルムとを含むことを特徴とする請求項１に記載の偏光フィルムアセンブリ。
【請求項３】
前記第１電極は前記圧電フィルムの第１面をカバーし、前記第２電極は前記第１面の反対側の第２面をカバーすることを特徴とする請求項２に記載の偏光フィルムアセンブリ。
【請求項４】
前記スピーカーフィルムの第１電極と電気的に連結され、前記振動活性層の一端部に形成された連結部と、
導電性接着剤を介して前記スピーカーフィルムの第２電極に接着された保護フィルムと、を更に含むことを特徴とする請求項２に記載の偏光フィルムアセンブリ。
【請求項５】
前記配線部は、前記連結部に電気的に連結された第１配線と、
前記導電性接着剤に電気的に連結された第２配線とを含むことを特徴とする請求項４に記載の偏光フィルムアセンブリ。
【請求項６】
前記振動活性層は、空気層を含むことを特徴とする請求項１に記載の偏光フィルムアセンブリ。
【請求項７】
前記振動活性層は、前記スピーカーフィルムと偏光フィルムを支持する凸部と、前記空気層が形成された凹部とをさらに含むことを特徴とする請求項６に記載の偏光フィルムアセンブリ。
【請求項８】
前記振動活性層は、複数のスペーサと、該スペーサを保持する弾性材質の粘着層とを含むことを特徴とする請求項１に記載の偏光フィルムアセンブリ。
【請求項９】
前記振動活性層は、合成樹脂層から形成されることを特徴とする請求項１に記載の偏光フィルムアセンブリ。
【請求項１０】
前記振動活性層は、複数の気泡を含むことを特徴とする請求項９に記載の偏光フィルムアセンブリ。
【請求項１１】
前記偏光フィルムは、前記偏光子層の下に配置され、前記偏光子層を透過した光の位相を変化させる位相差層を更に含むことを特徴とする請求項１に記載の偏光フィルムアセンブリ。
【請求項１２】
偏光子層を含む一次（ｐｒｉｍａｒｙ）偏光フィルムを製造する段階と、
前記一次偏光フィルム上に振動活性層を形成する段階と、
前記振動活性層上に一次スピーカーフィルムを接着する段階と、
前記一次スピーカーフィルムが接着された第１結果物を表示パネルの大きさに対応して切断する段階と、
切断された第２結果物の振動活性層の一端部にスピーカーフィルムの第１電極と連結される連結部を形成する段階と、
透明導電性接着剤が塗布された透明保護フィルムを前記スピーカーフィルムの第２電極上に接着させる段階と、
前記連結部と前記透明導電性接着剤にそれぞれ連結される第１配線及び第２配線を形成する段階とを有することを特徴とする偏光フィルムアセンブリの製造方法。
【請求項１３】
前記振動活性層を形成する段階は、前記一次偏光フィルム上に合成樹脂を塗布する段階と、
陰刻のエンボシング（ｅｍｂｏｓｓｉｎｇ）パターンを有する金型を用いて前記合成樹脂を陽刻のエンボシングパターンに成型する段階とを含むことを特徴とする請求項１２に記載の偏光フィルムアセンブリの製造方法。
【請求項１４】
前記振動活性層を形成する段階は、前記一次偏光フィルム上に合成樹脂を塗布する段階と、
マスクを用いて前記合成樹脂の一部分を除去して複数の溝を形成する段階とを含むことを特徴とする請求項１２に記載の偏光フィルムアセンブリの製造方法。
【請求項１５】
前記振動活性層を形成する段階は、前記一次偏光フィルム上に合成樹脂を塗布する段階と、
前記合成樹脂内に複数の気泡を生成する段階とを含むことを特徴とする請求項１２に記載の偏光フィルムアセンブリの製造方法。
【請求項１６】
前記振動活性層を形成する段階は、前記一次偏光フィルム上に複数のスペーサを含む弾性粘着層を提供する段階を含むことを特徴とする請求項１２に記載の偏光フィルムアセンブリの製造方法。
【請求項１７】
前記連結部は、前記振動活性層の一端部に液状の導電体を注入して形成することを特徴とする請求項１２に記載の偏光フィルムアセンブリの製造方法。
【請求項１８】
前記振動活性層は、透明材質で形成されることを特徴とする請求項１２に記載の偏光フィルムアセンブリの製造方法。
【請求項１９】
前記スピーカーフィルムの第１電極及び第２電極は、透明導電性物質でそれぞれ形成されることを特徴とする請求項１２に記載の偏光フィルムアセンブリの製造方法。
【請求項２０】
ソース配線と、ゲート配線と、前記ソース配線とゲート配線に連結されたスイッチング素子とを有する表示パネルを含む表示装置において、
入力された第１データ信号をアナログの第２データ信号に変換して前記ソース配線に出力するソース駆動部と、
前記ゲート配線にゲート信号を出力するゲート駆動部と、
入力された第１音源信号を第２音源信号に変換して出力する音源出力部と、
前記表示パネルの一面に配置され、偏光軸と平行な光の振動成分を透過させ、前記第２音源信号に応答して音波を放射する偏光部材とを有することを特徴とする表示装置。
【請求項２１】
前記偏光部材は、入射光のうち、偏光軸と平行な光の振動成分を透過させる偏光子層を含む偏光フィルムと、
前記偏光フィルム上に配置され、電気信号を機械的振動に変換して音波を放射するスピーカーフィルムと、
前記偏光フィルムと前記スピーカーフィルムとの間に介在され、前記スピーカーフィルムの機械的振動を活性化する振動活性層と、
前記スピーカーフィルムと電気的に連結され、前記電気信号を伝達する配線部とを有することを特徴とする請求項２０に記載の表示装置。
【請求項２２】
前記音源出力部は、前記第１音源信号が入力される入力部と、
前記第１音源信号を多様な電位差を有する第２音源信号に変換して前記配線部に出力する変換部とを含むことを特徴とする請求項２１に記載の表示装置。
【請求項２３】
前記偏光部材は、偏光軸と平行する光の位相を変化させる位相差層をさらに含むことを特徴とする請求項２０に記載の表示装置。
【請求項２４】
光を出射するバックライトアセンブリと、前記光を用いて画像を表示するパネルアセンブリと、前記バックライトアセンブリ及びパネルアセンブリを収納する収納容器を含む表示アセンブリと、
前記表示アセンブリの一面に配置され、音波を放射するスピーカーフィルムと、
前記表示アセンブリの一面と前記スピーカーフィルムとの間に介在される振動活性層とを有することを特徴とする表示装置。
【請求項２５】
前記振動活性層は、空気層を含むことを特徴とする請求項２４に記載の表示装置。
【請求項２６】
前記振動活性層は、前記表示アセンブリの一面とスピーカーフィルムを支持する凸部と、前記空気層が形成された凹部とを含むことを特徴とする請求項２５に記載の表示装置。
【請求項２７】
前記振動活性層は、前記表示アセンブリの一面とスピーカーフィルムを支持する複数のスペーサと、該スペーサを保持する弾性を有する粘着層とを含むことを特徴とする請求項２４に記載の表示装置。
【請求項２８】
前記スピーカーフィルムは、前記収納容器の底面に配置されることを特徴とする請求項２４に記載の表示装置。
【請求項２９】
前記スピーカーフィルムは、前記収容容器の側壁に配置されることを特徴とする請求項２４に記載の表示装置。
【請求項３０】
前記スピーカーフィルムは、音源信号が入力される第１電極及び第２電極と、
前記第１電極と第２電極との間に介在される圧電フィルムとを含むことを特徴とする請求項２４に記載の表示装置。
【請求項３１】
光を出射するバックライトアセンブリと、前記光を用いて画像を表示するパネルアセンブリと、前記バックライトアセンブリ及びパネルアセンブリを収納する収納容器とを含む表示アセンブリと、
前記表示アセンブリの一面に配置され、前記一面と向い合って形成された振動活性層を含むスピーカーフィルムとを有することを特徴とする表示装置。
【発明の詳細な説明】
【技術分野】
【０００１】
本発明は、偏光フィルムアセンブリ及びその製造方法、並びにこれを具備した表示装置に係り、より詳細には、音響出力機能を有する偏光フィルムアセンブリ及びその製造方法、並びにこれを具備した表示装置に関する。
【背景技術】
【０００２】
一般的に表示装置は、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、及びＬＣＤ（Ｌｉｑｕｉｄ  Ｃｒｙｓｔａｌ  Ｄｉｓｐｌａｙ）などを含む。最近、消費者の性向に応じて軽量化及び小型化特性を有する液晶表示装置（ＬＣＤ）が携帯用端末機から大型テレビまで広く採用されている。
【０００３】
上記のように軽量化及び小型化された表示装置に比べて音響装置は、磁石とコイル、振動板を用いた磁気駆動方式のスピーカーを採用している。しかし、磁気駆動方式のスピーカーは、小型化及び軽量化に限界を有する。磁石の厚さを減少させるか振動板の厚さを減少させて小型化及び軽量化を達成する場合、音響品質が低下する問題点を有する。
これによって、小型化及び軽量化に対する短所を克服する表示装置に適合した音響装置の開発が要求されている。
【発明の開示】
【発明が解決しようとする課題】
【０００４】
そこで、本発明は上記従来の表示装置に付随する音響装置における問題点に鑑みてなされたものであって、本発明の目的は、小型化、軽量化し、音質が向上した音響ユニットである音響出力機能を有する偏光フィルムアセンブリを提供することにある。
【０００５】
本発明の他の目的は、偏光フィルムアセンブリの製造方法を提供することにある。
本発明の更に他の目的は、音響出力機能を有する表示装置を提供することにある。
【課題を解決するための手段】
【０００６】
上記目的を達成するためになされた本発明による偏光フィルムアセンブリは、入射光のうち、偏光軸と平行な光の振動成分を透過させる偏光子層を含む偏光フィルムと、前記偏光フィルム上に配置され、電気信号を機械的振動に変換して音波を放射するスピーカーフィルムと、前記偏光フィルムと前記スピーカーフィルムとの間に介在され、前記スピーカーフィルムの機械的振動を活性化する振動活性層と、前記スピーカーフィルムと電気的に連結されて前記電気信号を伝達する配線部とを有することを特徴とする。
【０００７】
上記目的を達成するためになされた本発明による偏光フィルムアセンブリの製造方法は、偏光子層を含む一次（ｐｒｉｍａｒｙ）偏光フィルムを製造する段階と、前記一次偏光フィルム上に振動活性層を形成する段階と、前記振動活性層上に一次スピーカーフィルムを接着する段階と、前記一次スピーカーフィルムが接着された第１結果物を表示パネルの大きさに対応して切断する段階と、切断された第２結果物の振動活性層の一端部にスピーカーフィルムの第１電極と連結される連結部を形成する段階と、透明導電性接着剤が塗布された透明保護フィルムを前記スピーカーフィルムの第２電極上に接着させる段階と、前記連結部と前記透明導電性接着剤にそれぞれ連結される第１配線及び第２配線を形成する段階とを有することを特徴とする。
【０００８】
上記目的を達成するためになされた本発明による表示装置は、ソース配線と、ゲート配線と、前記ソース配線とゲート配線に連結されたスイッチング素子とを有する表示パネルを含む表示装置において、入力された第１データ信号をアナログの第２データ信号に変換して前記ソース配線に出力するソース駆動部と、前記ゲート配線にゲート信号を出力するゲート駆動部と、入力された第１音源信号を第２音源信号に変換して出力する音源出力部と、前記表示パネルの一面に配置され、偏光軸と平行な光の振動成分を透過させ、前記第２音源信号に応答して音波を放射する偏光部材とを有することを特徴とする。
【０００９】
また、上記目的を達成するためになされた本発明による表示装置は、光を出射するバックライトアセンブリと、前記光を用いて画像を表示するパネルアセンブリと、前記バックライトアセンブリ及びパネルアセンブリを収納する収納容器を含む表示アセンブリと、前記表示アセンブリの一面に配置され、音波を放射するスピーカーフィルムと、前記表示アセンブリの一面と前記スピーカーフィルムとの間に介在される振動活性層とを有することを特徴とする。
【００１０】
また、上記目的を達成するためになされた本発明による表示装置は、光を出射するバックライトアセンブリと、前記光を用いて画像を表示するパネルアセンブリと、前記バックライトアセンブリ及びパネルアセンブリを収納する収納容器とを含む表示アセンブリと、前記表示アセンブリの一面に配置され、前記一面と向い合って形成された振動活性層を含むスピーカーフィルムとを有することを特徴とする。
【発明の効果】
【００１１】
本発明に係る偏光フィルムアセンブリ及びその製造方法、並びにこれを具備した表示装置によれば、スピーカーフィルムを含む偏光部材を具現することで、音響出力機能を具備した表示装置を実現することができる。偏光部材は、偏光フィルムとスピーカーフィルムとの間に振動活性層を通じて互いに結合されることによってスピーカーフィルムの振動をより円滑に活性化して音質及び音響特性を向上させることができる。結果的に、音響出力機能を有する軽薄短小された表示装置を得ることができるという効果がある。
また、振動活性層を通じて表示装置の一面にスピーカーフィルムを付着することで表示装置が適用される製品の軽量化及び小型化を達成することができる。また、振動活性層によってスピーカーフィルムの音質及び音響品質を向上させることができるという効果がある。
【発明を実施するための最良の形態】
【００１２】
次に、本発明に係る偏光フィルムアセンブリ及びその製造方法、並びにこれを具備した表示装置を実施するための最良の形態の具体例を図面を参照しながら説明する。
図１は、本発明の一実施形態による偏光フィルムアセンブリの概略的な断面図である。
図１を参照すると、本発明の一実施形態による偏光フィルムアセンブリ１００は、透過型の偏光フィルム１１０、振動活性層１２０、スピーカーフィルム１３０、保護フィルム１４０、及び配線部１５１、１５２を含む。
【００１３】
透過型の偏光フィルム１１０は、入力感知粘着層（ＰＳＡ）１１１、第１保護層（ＴＡＣ）１１２、偏光子層（ＰＶＡ）１１３、及び第２保護層（ＴＡＣ）１１４を含む。入力感知粘着層１１１は、偏光フィルムアセンブリ１００の外面上に配置され、第２保護層１１４は、振動活性層１２０に隣接するように配置される。
【００１４】
圧力感知粘着層１１１は、粘着剤を含むフィルムの形態であり、外部から提供される圧力によって粘着される。粘着剤としては、アクリル系やゴム系などの粘着剤、または粘着剤に屈折率を調整するためにジルコニアなどの微粒子を含有させた粘着剤などを用いることができる。
【００１５】
第１保護層１１２及び第２保護層１１４は、偏光子層１１３の両面にそれぞれ配置され、透明な材質からなる。第１保護層１１２及び第２保護層１１４は、トリアセチルセルロース（ＴＡＣ）のようなアセテート系樹脂が一般的に用いられるが、これに限定されることはない。偏光特性や耐久性などの点から望ましく用いることができる透明保護フィルムは、表面をアルカリなどで鹸化処理したトリアセチルセルロースフィルムである。
【００１６】
偏光子層１１３は、入射光の互いに直交する２種の偏光成分の内、その一方のみを透過させ、他の成分を遮断する。即ち、偏光軸と平行な光の振動成分のみの光を透過させる。
【００１７】
振動活性層１２０は、第２保護層１１４上に形成される。即ち、第２保護層１１４上に表面処理技術を施して形成され、スピーカーフィルム１３０の振動を活性化（改善）させる。振動活性層１２０は、空気層を含むか、弾性を有する材質で形成される。振動活性層１２０は、一端部にはスピーカーフィルム１３０の第１金属電極１３２と電気的に連結される導電体である連結部１２１が形成される。
【００１８】
スピーカーフィルム１３０は、圧電フィルム１３１と圧電フィルム１３１の第１面に形成された第１金属電極１３２及び圧電フィルム１３１の第２面に形成された第２金属電極１３３を含む。第１金属電極１３２は、振動活性層１２０と圧電フィルム１３１との間に配置される。第２面は、第１面を向い合う。第２金属電極１３３は、保護フィルム１４０と圧電フィルム１３１との間に配置される。第１金属電極１３２は、平面形状を有し、圧電フィルム１３１の第１面の全面をカバーすることができる。
【００１９】
圧電フィルム１３１は、電気的な音源信号を機械的な振動に変換して音波を放射する。圧電フィルム１３１は、ポリフッ化ビニリデン（ＰＶＤＦ）やそれの誘導体で形成される。
【００２０】
または、ヘキサフルオロプロピレン（ＨＦＰ）などの添加物を入れたＰＶＤＦ−ＨＦＰ高分子混合物、及びフッ化ビニリデン／三フッ化エチレン（ＶＤＦ／ＴｒＦＥ）等の混成重合体などから選択して形成することができる。第１金属電極１３２及び第２金属電極１３３には電気信号が印加され、第１金属電極１３２及び第２金属電極１３３の間に配置された圧電フィルム１３１を駆動させて音波を放射させる。
【００２１】
第１金属電極１３２及び第２金属電極１３３は、透明導電性物質であって、圧電フィルム１３１の第１面及び第２面にコーティングされる。透明導電性物質は、インジウムスズ酸化物（ＩＴＯ）、インジウム亜鉛酸化物（ＩＺＯ）またはインジウムスズ亜鉛酸化物（ＩＴＺＯ）を含む。
【００２２】
保護フィルム１４０は、一面に導電性接着剤１４１が塗布された透明材質の保護層１４２で形成される。保護フィルム１４０は、導電性接着剤１４１を通じてスピーカーフィルム１３０の第２金属電極１３３と接続され、スピーカーフィルム１３０の一端から一定長さが拡張されて配置される。即ち、保護フィルム１４０は、第２金属電極１３３より広い面積を有する。
【００２３】
配線部１５１、１５２は、スピーカーフィルム１３０の第１金属電極１３２と電気的に接続された第１配線１５１とスピーカーフィルム１３０の第２金属電極１３３と電気的に接続された第２配線１５２を含む。
【００２４】
第１配線１５１は、第１金属電極１３２と接触された連結部１２１に接触され、第２配線１５２は、第２金属電極１３３と接触された導電性接着剤１４１と接触される。即ち、第１配線１５１及び第２配線１５２は、スピーカーフィルム１３０の第１金属電極１３２及び第２金属電極１３３に音源信号を印加する。
【００２５】
図２は、本発明の他の実施形態による偏光フィルムアセンブリの概略的な断面図である。
図２を参照すると、偏光フィルムアセンブリ２００は、反射透過型の偏光フィルム２１０、振動活性層２２０、スピーカーフィルム２３０、保護フィルム２４０、及び配線部２５１、２５２を含む。
反射透過型の偏光フィルム２１０は、第１圧力感知粘着層（ＰＳＡ）２１１、位相差層２１２、第２圧力感知粘着層（ＰＳＡ）２１３、第１保護層（ＴＡＣ）２１４、偏光子層（ＰＶＡ）２１５、第２保護層２１６を含む。
【００２６】
第１圧力感知粘着層２１１及び第２圧力粘着層２１３は、粘着剤を含むフィルム形態で構成され、外部から提供される圧力によって接着される。粘着剤としては、アクリル系やゴム系の粘着剤、または粘着剤に屈折率を調整するためにジルコニアなどの微粒子を含有させた粘着剤などを用いることができる。
【００２７】
第１保護層２１４及び第２保護層２１６は、偏光子層２１５の両面にそれぞれ配置され、透明な材質からなる。第１保護層２１４及び第２保護層２１６は、望ましくはトリアセチルセルロース（ＴＡＣ）のようなアセテート系樹脂で形成される。
【００２８】
偏光子層２１５は、入射光の互いに直交する二種の偏光成分の内、その一方のみを透過させ、他の成分を遮断する。
位相差層２１２は、入射光の偏光状態を変える機能を果たす。即ち、直線偏光を左円偏光または右円偏光に変えるか、左円偏光または右円偏光を４５°または１３５°の直線偏光に変える。
【００２９】
振動活性層２２０は、第２保護層２１６上に形成される。即ち、第２保護層２１６上に表面処理技術を施して形成され、スピーカーフィルム２３０の振動を活性化する。振動活性層２２０は空気層を含むか、弾性を有する透明な材質で形成される。振動活性層２２０は、一端部にはスピーカーフィルム２３０の第１金属電極２３２と電気的に連結される導電体である連結部２２１が形成される。
【００３０】
スピーカーフィルム２３０は、圧電フィルム２３１と圧電フィルム２３１の第１面に形成された第１金属電極２３２及び圧電フィルム２３１の第２面に形成された第２金属電極２３３を含む。第１電極２３２は、振動活性層２２０と圧電フィルム２３１との間に配置される。第２面は、第１面に向い合う。第２電極２３３は、保護フィルム２４０と圧電フィルム２３１との間に配置される。第１電極２３２は平面形状を有し、圧電フィルム２３１の第１面の全面をカバーすることができる。
【００３１】
前記圧電フィルム２３１は、電気的な音源信号を機械的な振動に変換して音波を放射する。圧電フィルム３２１は、望ましくはポリフッ化ビニリデン（ＰＶＤＦ）やそれの誘導体で形成される。
第１金属電極２３２及び第２金属電極２３３は、電気信号が印加され、圧電フィルム２３１を駆動させて音波を放射させる。
【００３２】
第１金属電極２３２及び第２金属電極２３３は、透明導電性物質であって、圧電フィルム２３１の第１面及び第２面にコーティングされる。第１電極２３２及び第２電極２３３に用いられる透明な導電性物質はＩＴＯ、ＴＯ、ＩＺＯ、ＩＴＺＯ、ａ−ＩＴＯなどを含む。
保護フィルム２４０は、一面に導電性接着剤２４１が塗布された透明な材質の保護層２４２で形成される。保護フィルム２４０は、導電性接着剤２４１を通じてスピーカーフィルム２３０の第２金属電極２３３と接続され、スピーカーフィルム２３０の一端から一定長さが拡張され配置される。即ち、保護フィルム２４０は、第２電極２３３より広い面積を有することができる。
【００３３】
配線部２５１、２５２は、スピーカーフィルム２３０の第１金属電極２３２と電気的に接続された第１配線２５１とスピーカーフィルム２３０の第２金属電極２３３と電気的に接続された第２配線２５２を含む。
【００３４】
第１配線２５１は、第１金属電極２３２と電気的に連結された連結部２２１に接触され、第２配線２５２は、第２金属電極２３３と接触された導電性接着剤２４１と接触される。即ち、第１配線２５１及び第２配線２５２は、スピーカーフィルム２３０の第１金属電極２３２及び第２金属電極２３３にそれぞれ連結されて音源信号が印加される。
【００３５】
図３乃至図７は、図１に示した偏光フィルムアセンブリの製造方法を説明するための工程断面図である。
図１及び図３を参照すると、透過型の偏光フィルム１１０をロールタイプでそれぞれ巻き取られた一次フィルム、即ち、圧力感知粘着フィルム１１１、第１保護フィルム１１２、偏光子フィルム１１３、及び第２保護フィルム１１４をラミネーティング装置を通じてラミネーティングして、第１偏光部材（Ｆ１）を製造する。
【００３６】
その後、第２保護フィルム１１４上に表面処理技術を施して振動活性層１２０を形成して第２偏光部材（Ｆ２）が製造される。振動活性層１２０は、偏光フィルム１１０上に配置されるスピーカーフィルム１３０の振動を活性化するための層であって、空気層を含むか、エンボシング層又は気泡層（またはバブル層）を含む。または、振動活性層１２０は、スペーサが含まれた弾性を有する透明材質で形成される。
【００３７】
図４及び図５を参照すると、ロールタイプに巻き取られた一次フィルム状のスピーカーフィルム１３０を導電性接着剤を用いて第２偏光部材（Ｆ２）上に接着させて第３偏光部材（Ｆ３）を製造する。フィルムスピーカー１３０は、圧電フィルム１３１と圧電フィルム１３１の第１面に形成された第１金属電極１３２及び前記圧電フィルム１３１の第２面に形成された第２金属電極１３３を含む。
【００３８】
その後、偏光フィルム１１０にスピーカーフィルム１３０が接着された第３偏光部材（Ｆ３）をそれぞれ対応する表示パネルの大きさに合うように切断して第４偏光部材（Ｆ４）を製造する。
振動活性層１２０の一端部に液状導電体を注入して連結部１２１を形成する。連結部１２１は、スピーカーフィルム１３０の一端の第１金属電極１３２と接触され、第１金属電極１３２と電気的に連結される。
【００３９】
図６及び図７を参照すると、第４偏光部材（Ｆ４）上に保護層１４２と導電性接着層１４１とで形成された保護フィルム１４０を付着して第５偏光部材（Ｆ５）を製造する。
導電性接着層１４１は、スピーカーフィルム１３０の第２金属電極１３３と接触され、保護フィルム１４０はスピーカーフィルム１３０の他端で一定長さが延びられた端部を有する。
【００４０】
その後、金属材質で形成された第１配線１５１及び第２配線１５２をスピーカーフィルム１３０の一端に形成された連結部１２１とスピーカーフィルム１３０の他端に配置された端部にそれぞれ連結させる。
これによって、第１配線１５１及び第２配線１５２は、スピーカーフィルム１３０の第１金属電極１３２及び第２金属電極１３３と電気的に連結されて音源信号が入力されるスピーカーフィルム１３０の入力端子の機能を果たす。
【００４１】
図８及び図９は、図１の振動活性層の一実施形態の形成工程を説明するための工程断面図である。
図８及び図９を参照すると、偏光フィルム１１０の保護層（ＴＡＣ）上に合成樹脂３２１を塗布する。エンボシング（ｅｍｂｏｓｓｉｎｇ）形状の陰刻を有する金型３１１を用いて合成樹脂３２１を加圧する。
【００４２】
これによって、陽刻のエンボシング形状を有する振動活性層３２２が形成される。振動活性層３２２は、凸部３２２ａと凹部３２２ｂを含み、凹部３３２ｂには空気層が形成される。
【００４３】
合成樹脂３２１は、アクリル系紫外線硬化型樹脂であって、アクリレート系、エポキシアクリレート系、ポリエステルアクリレート系、ウレタンアクリレート系などの光重合性モノマーとオリゴマーや、アセトフェノン系、ベンゾフェノン系、チオキサントン系等を含む。
【００４４】
図１０及び図１１は、図１の振動活性層の他の実施形態の形成工程を説明するための工程断面図である。
図１０及び図１１を参照すると、偏光フィルム１１０の保護層（ＴＡＣ）上に合成樹脂３２３を塗布する。この後、開口パターンが形成されたマスク３１２を用いて合成樹脂３２３をパターニングして振動活性層３２４を形成する。
【００４５】
振動活性層３２４は、凸部３２４ａと凹部３２４ｂを含み、凹部３２４ｂには空気層が形成される。
合成樹脂３２３は、アクリル系紫外線硬化型樹脂であって、アクリレート系、エポキシアクリレート系、ポリエステルアクリレート系、ウレタンアクリレート系などの光重合成モノマーとオリゴマーや、アセトフェノン系、ベンゾフェノン系、チオキサントン系等を含む。
【００４６】
図１２及び図１３は、図１の振動活性層のさらに他の実施形態の形成工程を説明するための工程断面図である。
図１２及び図１３を参照すると、偏光フィルム１１０の保護層（ＴＡＣ）上に合成樹脂３２５を塗布する。その後、高圧状態で二酸化炭素や窒素などの不活性気体のような発泡剤（ｆｏａｍｉｎｇ  ａｇｅｎｔ）を合成樹脂３２５内に溶解させる。発泡剤が混合された合成樹脂３２５を減圧及び加熱させる。これによって合成樹脂３２５内の気泡が成長することによって気泡３２５ａが生成される。
結果的に、偏光フィルム１１０の保護層（ＴＡＣ）上には気泡３２５ａが形成された振動活性層３２６が形成される。
【００４７】
図１４は、図１の振動活性層のさらに他の実施形態の形成工程を説明するための工程断面図である。
図１４を参照すると、偏光フィルム１１０の保護層（ＴＡＣ）上に合成樹脂３２７を塗布する。合成樹脂３２７は、複数のスペーサ３２７ａが含まれ、弾性を有する透明粘着剤である。
【００４８】
合成樹脂３２７は、スペーサ３２７ａによってスピーカーフィルム１３０と偏光フィルム１１０とのギャップを維持し、弾性を有する透明粘着剤によってスピーカーフィルム１３０から発生する振動を活性化する。即ち、透明粘着剤が空気層の役割を果たす。
【００４９】
図１５は、本発明の一実施形態による表示モジュールの平面図である。図１６は、図１５に示したＩ−Ｉ’線に沿って見た断面図である。
図１５及び図１６を参照すると、本発明の一実施形態による表示パネルモジュールは、液晶表示パネルと液晶表示パネルの上部に配置された上部偏光部材である偏光フィルムアセンブリ２００と液晶表示パネルの下部に配置された下部偏光部材２０１を含む。
【００５０】
液晶表示パネルは、アレイ基板４５０と、アレイ基板４５０に対向する対向基板４２０と、アレイ基板４５０と対向基板４２０との間に介在された液晶層４３０とを含む。
【００５１】
アレイ基板４５０は、第１ベース基板４０１、及び第１ベース基板４０１上に形成されたゲート配線（Ｇｎ）とソース配線（データ配線）（ＤＬｍ−１、ＤＬｍ、ＤＬｍ＋１）と、ストレージ共通配線４１９及び複数の画素部（Ｐ）を含む。画素部（Ｐ）は、スイッチング素子（ＴＦＴ）と、スイッチング素子（ＴＦＴ）に連結された画素電極４１６と、画素電極４１６の一部に形成され、反射部（ＲＡ）と透過部（ＴＡ）を定義する反射電極４１７を含む。
【００５２】
スイッチング素子（ＴＦＴ）は、ゲート配線（ＧＬｎ）と連結されたゲート電極４１１、データ配線（ＤＬｍ＋１）と連結されたソース電極４１３、及び画素電極４１６と連結されたドレイン電極４１４を含む。
ゲート配線（ＧＬｎ）、ゲート電極４１１、及びストレージ共通配線４１９上にはゲート絶縁層４０２が形成される。ゲート電極４１１とソース電極４１３及びドレイン電極４１４との間のゲート絶縁層４０２上には、チャンネル層４１２が形成される。チャンネル層４１２は、アモルファスシリコン層４１２ａ及びインシトゥ（ｉｎ−ｓｉｔｕ）ドープされたｎ＋アモルファスシリコン層４１２ｂを含む。
【００５３】
データ配線（ＤＬｍ＋１）、ソース電極４１３、及びドレイン電極４１４上にはパッシベーション層４０３が形成される。パッシベーション層４０３は、ソース電極４１３及びドレイン電極４１４によって定義され、Ｎ＋アモルファスシリコン層４１２ｂによって露出されたチャンネル領域内のアモルファスシリコン層４１２ａ、前記ゲート絶縁膜４０２の露出された部分上にも形成される。反射部（ＲＡ）に対応するパッシベーション層４０３上には有機膜４０４が形成される。有機膜４０４の表面は、望ましくは凹凸形状にパターニングされる。前記凹凸は、反射部（ＲＡ）でマイクロ反射レンズの役割を果たし、外部光を散乱させる。勿論、有機膜の表面を平坦化することもできる。
【００５４】
ドレイン電極４１４上に形成されたパッシベーション層４０３と有機膜４０４の一部分は除去されコンタクトホール４１５が形成される。
コンタクトホール４１５を通じて画素電極４１６は電気的に連結される。画素電極４１６は、光を透過させる透明電極であって、インジウムスズ酸化物（ＩＴＯ）、インジウム亜鉛酸化物（ＩＺＯ）が用いられる。
画素電極４１６上には、反射電極４１７が部分的に形成され、反射部（ＲＡ）を定義する。反射電極４１７は、光を反射させる一種の金属パターンであって、アルミニウムやアルミニウムネオジウム合金、銀、銀合金などが用いられる。
【００５５】
対向基板４２０は、第２ベース基板４２１を含む。
前記第２ベース基板４２１上（図１６では下になる、以下基板の上に形成していく形で説明を行う）、には、遮光層４２２が形成される。遮光層４２２は、一般的にアレイ基板４５０のソース配線（ＤＬｍ−１、ＤＬｍ、ＤＬｍ＋１）とゲート配線（ＧＬｎ）に対応する領域に形成される。
【００５６】
ここでは、ソース配線（ＤＬｍ−１、ＤＬｍ、ＤＬｍ＋１）の下に形成されたストレージ共通配線４１９がソース配線（ＤＬｍ−１、ＤＬｍ、ＤＬｍ＋１）それぞれを十分カバー可能な大きさで形成される場合には、遮光層４２２をゲート配線（ＧＬｎ）のみに対応して形成することもできる。
【００５７】
遮光層４２２が形成された第２ベース基板４２１上にカラーフィルタ層４２３を形成する。カラーフィルタ層４２３は、赤色、緑色、及び青色フィルタパターンを含む。
カラーフィルタ層４２３の一部分、即ち、反射部（ＲＡ）に該当するカラーフィルタ層４２３の一部分には、カラーフィルタ層４２３が除去されてライトホール（ＬＨ）が形成される。カラーフィルタ層４２３上には、オーバーコート層４２４と共通電極層４２５が順次形成される。
【００５８】
液晶層４３０は、透過部（ＴＡ）に対応して第１セルギャップ（２・Δｎｄ）を有し、反射部（ＲＡ）に対応して第２セルギャップ（Δｎｄ）を有する。即ち、反射部（ＲＡ）と透過部（ＴＡ）の光経路を実質的に同一にするために、セルギャップを互いに異なるように形成する。例えば、有機膜４０４の厚さは、反射領域（ＲＡ）内で透過領域（ＴＡ）に比べて大きい。図１６で、有機膜４０４は、透過領域（ＴＡ）内では形成されない。ここでは、アレイ基板４５０に有機膜４０４を用いてセルギャップを異なるように形成する例を挙げたが、対向基板４２０のオーバーコーティング層４２４を用いてセルギャップを異なるように形成することもできる。
【００５９】
上部偏光部材２００は、図２に示した反射透過型の偏光部材である。
図２を参照すると、上部偏光部材２００は、反射透過型の偏光フィルム２１０、振動活性層２２０、スピーカーフィルム２３０、保護フィルム２４０、及び配線部２５１、２５２を含む。反射透過型の偏光フィルム２１０は、入射光を直線偏光から左円偏光または右円偏光を変化して出射したり、入射光を左円偏光または右円偏光から直線偏光に変化して出射する。
【００６０】
スピーカーフィルム２３０に電気的に連結された配線部２５１、２５２は、音源出力部（図示せず）の出力端子と連結され、電気信号である音源信号が入力される。スピーカーフィルム２３０は、音源信号を機械的な振動に変換して音波を放射させる。
振動活性層２２０は、反射透過型の偏光フィルム２１０とスピーカーフィルム２３０との間に介在され、スピーカーフィルム２３０の振動を活性化して音質及び音響を向上させる。
【００６１】
下部偏光部材２０１は、反射透過型の偏光フィルム２１０と同一の構成要素を有する。下部偏光部材２０１は、入射光を直線偏光から左円偏光または右円偏光を変化させて出射したり、入射光を左円偏光または右円偏光から直線偏光に変化させて出射する。
【００６２】
図１７及び図１８は、図１５に示した表示パネルモジュールの動作モードによる光の経路を説明するための概念図である。表示パネルモジュールは、電圧未印加の時、ホワイトカラーを示すノーマリーホワイトモードの液晶を具備するものを示す。また、上部偏光部材２００は、第１偏光層２１５、第１位相差層２１２を含み、下部偏光部材２０１は、第２偏光層２０５、第２位相差層２０２を含む。
【００６３】
（反射モードの動作時）
図１５乃至図１７を参照すると、反射モードの動作時、液晶に加えられる電圧がないとき、外部入射光が第１偏光子層２１５を通過した後、直線偏光になり、再び第１位相差層２１２を通じて左円偏光になる。勿論、右円偏光であってもよい。ここで、位相差層２１２は、λ／４だけ位相を変化させる。
円偏光が液晶層４３０を通過する時、ここで液晶層４３０は、液晶に加えられる電圧がないので水平配列状態を維持するので、このような水平配列状態の液晶層４３０によって左円偏光は位相がλ／４だけ変わって直線偏光になった後、直線偏光が反射電極４１７に反射され、液晶層４３０を再び通過しながらλ／４だけ位相が変化して左円偏光になる。反射モードに対応する液晶層４３０は、図１６で示したようにΔｎｄの光学特性を有する。
【００６４】
左円偏光が第１位相差層２１２を通過すると、始めに入射した光と同一である直線偏光に変換した後、第１偏光子層２１５を経由して光が透過してホワイトカラーをディスプレイする。
一方、液晶層４３０に加えられる電圧があるとき、外部入射光が第１偏光子層２１５を通過した後、直線偏光になり、再び第１位相差層２１２を通過して左円偏光になる。
【００６５】
左円偏光が液晶層４３０を通過する時、ここで、液晶層４３０は、液晶に加えられた電圧によって垂直配列されるので、左円偏光をそのまま通過させ、液晶層４３０を通過した左円偏光は、反射電極４１７に反射されて右円偏光になり、右円偏光は、液晶層４３０を再び通過して第１位相差層２１２によって位相がλ／４だけ変わってλ／４だけ遅延した直線偏光になる。直線偏光が第１偏光子層２１５を経由しながら光が消失されてブラックカラーをディスプレイする。
【００６６】
（透過モードの動作時）
図１５、図１６、及び図１８を参照すると、透過モードの動作時、液晶層４３０に加えれる電圧がないとき、バックライトアセンブリ（図示せず）から提供された光は、第１偏光子層２０５を通過しかつ直線偏光に変換され、第２位相差層２０２によって右円偏光に変換され、画素電極（透明電極）４１６を経由して液晶層４３０に印加される。ここで、第２位相差層２０２は、λ／４だけ位相を変化させる。
【００６７】
透過モードに対応する液晶層４３０は、図１６で示したように反射モードに対応する液晶層４３０の光学特性であるΔｎｄの２倍である２・Δｎｄの光学特性を有する。
右円偏光が入射される液晶層４３０には、電圧が印加されないので、水平配列の状態を維持し、水平配列された液晶層４３０によって左円偏光に変換された後、第１位相差層２１２によって位相がλ／４変わって直線偏光になる。ここで、変換された直線偏光は第１偏光子層２１５を通過してホワイトカラーをディスプレイする。
【００６８】
一方、液晶層４３０に加えられる電圧があるとき、バックライトアセンブリから提供された光は、第２偏光子層２０５を通過しながら直線偏光に変化し、第２位相差層２０２によって右円偏光に変化した後、画素電極（透明電極）４１６を経由して液晶層４３０に入射される。
【００６９】
右円偏光が入射される液晶層４３０には電圧が印加されるので、液晶は垂直に配列され、垂直配列された液晶層４３０によって右円偏光をそのまま維持しながら第１位相差層２１２に入射される。
第１位相差層２１２に入射された右円偏光は直線偏光に変換された後、第１偏光子層２１２に入射され、第１偏光子層２１５に入射された直線偏光は光が消失されるので、ブラックカラーをディスプレイする。
【００７０】
以上では、反射透過型表示パネルモジュールに適用された偏光部材を例として説明したが、透過型表示パネルモジュールにおいても図１に示したような偏光部材１００を用いて同一に具現することは自明である。また、以上では、スピーカーフィルムを含む上部偏光部材を例として挙げたが、下部偏光部材にスピーカーフィルムを形成することもできる。
【００７１】
図１９は、本発明の他の実施形態による表示パネルモジュールの平面図である。図２０は、図１９に示したＩＩ−ＩＩ’線に沿って見た断面図である。
図１９及び図２０を参照すると、表示パネルモジュールは、電界発光表示パネルと、電界発光表示パネルの上部に配置された偏光部材１００を含む。
電界発光表示パネルは、ベース基板４０５を含む。ベース基板４０５上に複数のソース配線（ＤＬｍ）と、複数のゲート配線（ＧＬｎ）と、複数のバイアス電圧配線（ＶＬｋ）によって定義される複数の画素部（Ｐ）を含む。
【００７２】
それぞれの画素部（Ｐ）には、第１スイッチング素子（ＴＦＴ１）、第２スイッチング素子（ＴＦＴ２）、ストレージキャパシタ（ＣＳＴ）、及び電界発光素子（ＥＬ）が形成される。
第１スイッチング素子（ＴＦＴ１）は、ゲート配線（ＧＬｎ）と連結された第１ゲート電極４４１、ソース配線（ＤＬ）と連結された第１ソース電極４４３、ストレージキャパシタ（ＣＳＴ）及び第２スイッチング素子（ＴＦＴ２）と共通に連結された第１ドレイン電極４４４を含む。また、第１スイッチング素子（ＴＦＴ１）は、第１ゲート電極４４１と、第１ソース電極４４３と第１ドレイン電極４４４との間に形成された第１チャンネル部４４２を含む。第１チャンネル部４４２は、アモルファスシリコン層及びＮ＋アモルファスシリコン層（図示せず）を含むことができる。
【００７３】
第２スイッチング素子（ＴＦＴ２）は、第１ドレイン電極４４４と連結された第２ゲート電極４５１、バイアス電圧配線（ＶＬｋ）と連結された第２ソース電極４５３及び電界発光素子（ＥＬ）と連結された第２ドレイン電極４５４を含む。また、第２スイッチング素子（ＴＦＴ２）は、第２ゲート電極４５１と、第２ソース電極４５３と第２ドレイン電極４５４との間に形成された第２チャンネル部４５２を含む。第２チャンネル部４５２は、アモルファスシリコン層４５２ａ及びＮ＋アモルファスシリコン層４５２ｂを含むことができる。アモルファスシリコン層４５２ａの上部に不純物を注入して、Ｎ＋アモルファスシリコン層４１２ｂを形成することができる。第２スイッチング素子（ＴＦＴ２）は、電界発光素子（ＥＬ）を駆動する駆動素子である。
【００７４】
ストレージキャパシタ（ＣＳＴ）は、第２ゲート電極４５１と連結された第１電極４６１とバイアス電圧配線（ＶＬｋ）と連結された第２電極４６２を含む。
電界発光素子（ＥＬ）は、第２ドレイン電極４５４と連結される画素電極４７０と、共通電極４９０と、画素電極４７０と共通電極４９０との間に介在される電界発光層４８０を含む。
【００７５】
第１ゲート電極４４１と第２ゲート電極４５１との間、第１チャンネル部４４２と第２チャンネル部４５２との間には、ゲート絶縁層４０６が形成され、第１ソース電極４４３及び第２ソース電極４５３と第１ドレイン電極４４４及び第２ドレイン電極４５４上にはパッシベーション層４０７が形成される。
【００７６】
電界発光素子（ＥＬ）は、ゲート絶縁層４０６とパッシベーション層４０７が順次形成されたベース基板４０５上に画素電極４７０が形成され、画素電極４７０上に電界発光層４８０が形成され、電界発光層４８０上に共通電極４９０が形成される。ゲート絶縁膜４０６は、ゲートライン（ＧＬｎ）、ストレージキャパシタ（ＣＳＴ）の第１電極４６１及びベース基板４０５の露出された部分にも形成される。画素電極４７０は、電界発光素子（ＥＬ）の陽極電極（Ａｎｏｄｅ）であり、共通電極４９０は、電界発光素子（ＥＬ）の陰極電極（Ｃａｔｈｏｄｅ）である。パッシベーション層４０７は、データライン（ＤＬｍ）、ストレージキャパシタ（ＣＳＴ）の第２電極４６２及びゲート絶縁膜４０６の露出された部分にも形成される。
【００７７】
電界発光層４８０は、正孔注入層、正孔輸送層、発光層、電子注入層、及び電子輸送層（図示せず）を含み、画素電極４７０上にバンク層４０８によって定義された発光領域に形成される。バンク層４０８は、ネガティブ型フィルムレジスト層に形成され、これによってバンク層４０８の側面はベース基板４０５面に対し鋭角のテーパー角を有する。
【００７８】
画素部（Ｐ）の駆動方式は次のようである。
ゲート配線（ＧＬｎ）からゲート信号が印加されると、第１スイッチング素子（ＴＦＴ１）はターンオンされ、ソース配線（ＤＬｍ）から伝達されたデータ信号は、第１スイッチング素子（ＴＦＴ１）を経由して第２スイッチング素子（ＴＦＴ２）をターンオンさせ、ストレージキャパシタ（ＣＳＴ）に充電される。
【００７９】
第２スイッチング素子（ＴＦＴ２）は、ターンオンされることによって、第１スイッチング素子（ＴＦＴ１）を経由したソース電圧は、バイアス電圧配線（ＶＬｋ）から伝達されたバイアス電圧に基づいて電界発光素子（ＥＬ）に伝達される。これによって電界発光素子（ＥＬ）は、所定明るさの光を発光する。
【００８０】
偏光部材１００は、図１に示した透過型の偏光部材である。
図１を参照すると、偏光部材１００は、透過型の偏光フィルム１１０、振動活性層１２０、スピーカーフィルム１３０、保護フィルム１４０、及び配線部１５１、１５２を含む。透過型の偏光フィルム１１０は、入射光の互いに直交する二種の偏光成分の内、その一方のみを透過させ、他の成分を遮断する。即ち、偏光軸と平行な光の振動成分のみの光を透過させる。
【００８１】
スピーカーフィルム１３０に電気的に連結された配線部１５１、１５２は、音源出力部（図示せず）の出力端子と連結され、電気信号である音源信号が入力される。スピーカーフィルム１３０は、音源信号を機械的な振動に変換して音波を放射させる。
振動活性層１２０は、透過型の偏光フィルム１１０とスピーカーフィルム１３０との間に介在され、スピーカーフィルム１３０の振動を活性化して音質及び音響を向上させる。
【００８２】
図２１は、本発明の一実施形態による表示装置に対する概略的なブロック図である。
図２１を参照すると、本発明の一実施形態による表示装置は、タイミング制御部５１０、電圧発生部５２０、基準ガンマ電圧発生部５３０、ソース駆動部５４０、ゲート駆動部５５０、音源出力部５６０、及び表示部５７０を含む。
【００８３】
タイミング制御部５１０は、外部装置から入力された制御信号５０１に基づいて第１乃至第３制御信号（５１０ａ、５１０ｂ、５１０ｃ）を生成して出力する。第１制御信号５１０ａは、電圧発生部５２０を制御し、第２制御信号５１０ｂは、ソース駆動部５４０を制御し、第３制御信号５１０ｃは、ゲート駆動部５５０を制御する。
【００８４】
制御信号５０１（ＣＯＮＴＬ）は、メインクロック信号（ＭＣＬＫ）、水平同期信号（ＨＳＹＮＣ）、垂直同期信号（ＶＳＹＮＣ）、及びデータイネーブル信号（ＤＥ）を含む。第１制御信号５１０ａは、メインクロック信号（ＭＣＬＫ）を含み、第２制御信号５１０ｂは、水平開始信号（ＳＴＨ）、及びロード信号（ＴＰ）を含み、第３制御信号５１０ｃは、開始信号（ＳＴＶ）、スキャンクロック信号（ＣＰＶ）、及び出力イネーブル信号（ＯＥ）を含む。
【００８５】
タイミング制御部５１０は、外部装置から入力された第１データ信号５０２をインタフェース方式によって信号処理してソース駆動部５４０に第２データ信号５１０ｄを出力する。
【００８６】
電圧発生部５２０は、表示装置を駆動するための駆動電圧を発生する。具体的には、基準ガンマ電圧発生部５３０に電源電圧５２０ａを出力し、ゲート駆動部５５０にゲート電圧５２０ｂを出力し、表示部５７０には共通電圧５２０ｃを出力する。ゲート電圧５２０ｂは、ゲートオン電圧及びゲートオフ電圧を含み、共通電圧５２０ｃは、液晶キャパシタ（ＣＬＣ）の共通電圧（ＶＣＯＭ）とストレージキャパシタ（ＣＳＴ）の共通電圧（ＶＳＴ）を含む。
【００８７】
基準ガンマ電圧発生部５３０は、所定のガンマ曲線に対応する複数の抵抗が直列に連結された抵抗ストリングを含み、電圧発生部５２０から提供された電源電圧５２０ａを抵抗ストリングを通じて複数の基準ガンマ電圧５３０ａに分配して出力する。基準ガンマ電圧５３０ａは、ソース駆動部５４０に提供される。
【００８８】
ソース駆動部５４０は、第２制御信号５１０ｂに基づいて第２データ信号５１０ｄを基準ガンマ電圧５３０ａを用いてアナログ形態の第３データ信号に変換する。ソース駆動部５４０は、第３データ信号を表示部５７０のソース配線（ＤＬ）に出力する。
【００８９】
ゲート駆動部５５０は、シフトレジスタであって、第３制御信号５１０ｃに基づいてゲート電圧５２０ｂを用いてゲート信号を順次生成する。ゲート駆動部５５０は、順次生成されたゲート信号を表示部５７０のゲート配線（ＧＬ）に順次出力する。ゲート駆動部５５０は、表示部５７０に集積されるか実装される。
【００９０】
音源出力部５６０は、外部装置から入力された第１音源信号５０３を第２音源信号５６０ａに変換して表示部５７０の偏光部材１００に出力する。具体的には、第２音源信号５６０ａは、偏光部材１００のスピーカーフィルムの両端子に出力される。
【００９１】
表示部５７０は、液晶表示パネル４００と、液晶表示パネル４００の上部または下部に配置された偏光部材１００を含む。
液晶表示パネル４００は、複数のソース配線（ＤＬ）と複数のゲート配線（ＧＬ）によって定義された複数の画素部（Ｐ）が形成される。それぞれの画素部（Ｐ）は、スイッチング素子（ＴＦＴ）と、液晶キャパシタ（ＣＬＣ）及びストレージキャパシタ（ＣＳＴ）を含む。
【００９２】
偏光部材１００は、図１に示したように、偏光フィルム１１０、振動活性層１２０、スピーカーフィルム１３０、保護フィルム１４０、及び配線部１５１、１５２を含む。
偏光フィルム１１０は、圧力感知粘着層（ＰＳＡ）１１１、第１保護層（ＴＡＣ）１１２、偏光子層（ＰＶＡ）１１３、及び第２保護層（ＴＡＣ）１１４を含む。圧力感知粘着層１１１は、粘着剤を含んでフィルム形態からなり、外部から提供される圧力によって接着される。第１保護層１１２及び第２保護層１１４は、偏光子層１１３の両面にそれぞれ形成される。
【００９３】
偏光子層１１３は、入射光の互いに直交する二種の偏光成分の内、その一方のみを透過させ、他の成分を遮断する。振動活性層１２０は、第２保護層１１４上に形成され、スピーカーフィルム１３０の振動を活性化する。振動活性層１２０は空気層を含むか、弾性を有する材質で形成される。
【００９４】
スピーカーフィルム１３０は、圧電フィルム１３１と圧電フィルム１３１の第１面に形成された第１金属電極１３２及び圧電フィルム１３１の第２面に形成された第２金属電極１３３を含む。第１金属電極１３２は、振動活性層１２０と圧電フィルム１３１との間に配置される。第２面は、第１面に向い合う。第２金属電極１３３は、保護フィルム１４０と圧電フィルム１３１との間に配置される。第１金属電極１３２は平面形状を有し、圧電フィルム１３１の第１面の全面をカバーすることができる。また、第２金属電極１３３は、平面形状を有し、圧電フィルム１３１の第２面の全面をカバーすることができる。第１金属電極１３２及び第２金属電極１３３は、第１配線１５１及び第２配線１５２とそれぞれ電気的に連結される。第１配線１５１及び第２配線１５２を通じて第２音源信号５６０ａがスピーカーフィルム１３０に印加される。
【００９５】
図２２は、図２１に示した音源出力部に対する詳細なブロック図である。
図１、図２１及び図２２を参照すると、音源出力部５６０は、入力部５６１、増幅部５６２、及び変換部５６３を含む。一方、変換部５６３の出力信号は、スピーカーフィルム１３０の第１金属電極１３２及び第２金属電極１３３と電気的に連結された第１配線１５１及び第２配線１５２に入力される。
【００９６】
入力部５６１は、外部装置から入力された第１音源信号５０３が入力される。増幅部５６２は、第１音源信号５０３を所定レベルに増幅して出力する。変換部５６３は、増幅された第１音源信号５０３を第２音源信号５６０ａに変換して出力する。具体的には、第２音源信号５６０ａは、スピーカーフィルム１３０を駆動するために昇圧された電圧である。
変換部５６３の出力端子と電気的に連結された第１配線１５１及び第２配線１５２を通じて第２音源信号５６０ａは、スピーカーフィルム１３０の第１金属電極１３２及び第２金属電極１３３に印加される。
スピーカーフィルム１３０は、第１金属電極１３２及び第２金属電極１３３に第２音源信号５６０ａが印加されることによって、圧電フィルム１３１は、振動して対応する音波を放射する。
【００９７】
図２３は、本発明の他の実施形態による表示装置の分解斜視図である。図２４は、図２３の示した表示装置の概略的な断面図である。
図２３及び図２４を参照すると、本発明の他の実施形態による表示装置は、表示アセンブリ６００、音源出力部７１０、スピーカーフィルム７２０、及び振動活性層７３０を含む。
【００９８】
表示アセンブリ６００は、収納容器６０１と、バックライトアセンブリ６５０、パネルアセンブリ６９０を含む。
収納容器６０１は、底面と、底面の各々の端辺からそれぞれ延びられた側壁によって定義された収納空間を有する。側壁の一部には、かかり溝６０１ａが形成される。
【００９９】
バックライトアセンブリ６５０は、光を発生する光源６１０、可撓性印刷回路基板６２０、導光板６３０、及び反射板６４０を含む。
光源６１０は光を発生し、光源６１０は一例として、複数の発光ダイオード（ＬＥＤ）を用いる。光源６１０は、導光板６３０の一側面に配置することができ、光源６１０は、導光板６３０の他側面に配置することができ、導光板６３０の下に配置することができ、また導光板６３０の両側面に配置することもできる。
【０１００】
可撓性印刷回路基板６２０は、光源６１０が実装され、光源６１０に駆動信号を提供するための回路パターンが形成される。ここでは、光源６１０が可撓性印刷回路基板６２０に実装されるものと示したが、これに限定されることない。
【０１０１】
導光板６３０は、光源６１０から入射された光の経路を一定の方向にガイドして出射する。導光板６３０には、光経路を制御するドットパターンが形成される。ドットパターンは印刷されるか、金型によって成型することができ、多様な方式で形成することができる。ここで、導光板６３０が溝と尾根のような多様な形態のパターンを有することもできる。
反射板６４０は、導光板６３０から漏洩した光を再び導光板６３０側に反射して光の利用効率を向上させる。ここでは、所定厚さを有する板形状を例として挙げたが、シート形状を有することもできる。
【０１０２】
パネルアセンブリ６９０は、バックライトアセンブリ６５０上に配置され、光を用いて画像を表示する。パネルアセンブリ６９０は、モールドフレーム６６０、輝度向上部６７０、及び表示パネルモジュール６８０を含む。
【０１０３】
モールドフレーム６６０は、上に配置される輝度向上部６７０が装着され、下に配置される可撓性印刷回路基板６２０及び導光板６３０をガイドする。モールドフレーム６６０の側壁には固定突起６６１が形成される。
固定突起６６１は、収納容器６０１の側壁に形成されたかかり溝６０１ａと締結され、モールドフレーム６６０と収納容器６０１が締結される。これによって収納容器６０１に収納されたバックライトアセンブリ６５０を固定させる。
【０１０４】
輝度向上部６７０は、拡散部材と、複数の光学シートを含み、モールドフレーム６６０に装着される。輝度向上部６７０は、バックライトアセンブリ６５０から出射される光を均一の輝度分布を有するように変換して表示パネル６８０に提供する。
【０１０５】
表示パネルモジュール６８０は、電気的及び光学的特性を用いて画像を表示する。表示パネルモジュール６８０は、表示パネル６８３と駆動チップ６８４、及び可撓性印刷回路基板６８５を含む。
【０１０６】
表示パネル６８３は、二枚の基板と、二枚の基板間に形成された液晶層を含む。例えば、薄膜トランジスタ（以下、ＴＦＴ）基板６８１、ＴＦＴ基板６８１と対向して結合されるカラーフィルタ基板６８２、及びＴＦＴ基板６８１とカラーフィルタ基板６８２との間に注入される液晶層（図示せず）を含む。
【０１０７】
駆動チップ６８４は、ＴＦＴ基板６８１の一側に実装され、表示パネル６８３に駆動信号を出力する。駆動信号は、データ信号、ゲート制御信号、及びデータ制御信号を含む。このような駆動チップ６８４は、データ駆動チップと以外の他の駆動チップを含むか、単一チップで構成することもできる。駆動チップ６８４は、ＣＯＧ（Ｃｈｉｐ  Ｏｎ  Ｇｌａｓｓ）工程によってＴＦＴ基板６８１の一側に実装される。
【０１０８】
可撓性印刷回路基板６８５は、ＴＦＴ基板６８１の一側に実装され、外部から提供されるデータ信号及び制御信号を駆動チップ６８４に提供する。可撓性印刷回路基板６８５は、一般的に異方性導電フィルム（ＡＣＦ）を媒介としてＴＦＴ基板６８１と電気的に連結される。
【０１０９】
音源出力部７１０は、外部装置から提供された第１音源信号をスピーカーフィルム７２０を駆動させる第２音源信号に変換してスピーカーフィルム７２０に出力する。
【０１１０】
スピーカーフィルム７２０は、収納容器６０１の下に配置され、圧電フィルム７２１と圧電フィルム７２１の第１面に形成された第１金属電極７２２及び圧電フィルム７２１の第２面に形成された第２金属電極７２３を含む。第１電極７２２は、平板形状を有し、圧電フィルム７２１の第１面の全面をカバーすることもできる。また、第２電極７２３は、平板形状を有し、圧電フィルム７２１の第２面の全面をカバーすることもできる。
【０１１１】
圧電フィルム７２１は、電気信号である第２音源信号を機械的な振動に変換して音波を放射する。圧電フィルム７２１は、ポリフッ化ビニリデン（ＰＶＤＦ）やそれの誘導体で形成される。また、ヘキサフルオロプロピレン（ＨＦＰ）などの添加物を入れたＰＶＤＦ−ＨＦＰ高分子混合物、及びフッ化ビニリデン／三フッ化エチレン（ＶＤＦ／ＴｒＦＥ）などの混成重合体などから選択して形成することができる。
【０１１２】
第１金属電極７２２及び第２金属電極７２３は、音源出力部７１０から出力された第２音源信号が印加され、圧電フィルム７２１を駆動させて音波を放射させる。第１金属電極７２２及び第２金属電極７２３は、金属物質または透明導電性物質で圧電フィルム７２１の第１面及び第２面にコーティングされる。
【０１１３】
振動活性層７３０は、スピーカーフィルム７２０の振動を活性化させるための空気層を有するバブル層またはエンボシング層、あるいはスペーサを含む弾性材質の透明粘着層である。振動活性層７３０は、スピーカーフィルム７２０が付着される収納容器６０１の一面と、収納容器６０１の一面に対向するスピーカーフィルム７２０の一面との間に形成される。例えば、振動活性層７３０は、収納容器６０１の底板とスピーカーフィルム７２０の第１電極７２２との間に配置することができる。
【０１１４】
したがって、収納容器６０１に付着されたスピーカーフィルム７２０の第１面は、振動活性層７３０によって振動が活性化する。勿論、スピーカーフィルム７２０の第２面もまた一定のギャップの空気層を有するように配置される。
【０１１５】
図２５は、図２３に示したスピーカーフィルムの駆動方式を説明するための概略ブロック図である。
図２５を参照すると、音源出力部７１０は、入力部７１１、増幅部７１２、及び変換部７１３を含む。一方、変換部７１３の出力信号は、スピーカーフィルム７２０の第１金属電極７２２及び第２金属電極７２３に入力される。
【０１１６】
入力部７１１は、外部装置から入力された第１音源信号が入力される。増幅部７１２は、第１音源信号を所定のレベルに増幅して出力する。変換部７１３は、増幅された第１音源信号を第２音源信号に変換して出力する。具体的には、第２音源信号は、スピーカーフィルム７２０を駆動させるために昇圧された電圧である。
【０１１７】
変換部７１３の出力端子を通じて第２音源信号は、スピーカーフィルム７２０の第１金属電極７２２及び第２金属電極７２３にそれぞれ連結された入力端子を通じてスピーカーフィルム７２０に印加される。
スピーカーフィルム７２０は、第１金属電極７２２及び第２金属電極７２３に第２音源信号が印加されることによって圧電フィルム７２１は、振動して対応する音波を放射する。
【０１１８】
図２６及び図２７は、図２３に示した振動活性層７３０の一実施形態の形成工程を説明するための工程断面図である。
図２６及び図２７を参照すると、スピーカーフィルム７２０の第１金属電極７２２上に合成樹脂７３１を塗布する。
その後、エンボシング形状の陰刻を有する金型８３０を用いて合成樹脂７３１を加圧する。これによって、陽刻のエンボシング形状を有する振動活性層７３２が形成される。
【０１１９】
合成樹脂７３１は、アクリル系紫外線硬化型樹脂であって、アクリレート系、エポキシアクリレート系、ポリエステルアクリレート系、ウレタンアクリレート系などの光重合性モノマーとオリゴマーや、アセトフェノン系、ベンゾフェノン系、チオキサントン系等を含む。
結果的に振動活性層７３２は、一定領域は凸であり、一定領域は凹んだエンボシング形状を有し、凹部には空気層（ａ）が形成される。
【０１２０】
図２８及び図２９は、図２３に示した振動活性層の他の実施形態の形成工程を説明するための工程断面図である。
図２８及び図２９を参照すると、スピーカーフィルム７２０の第１金属電極７２２上に合成樹脂７４１を塗布する。その後、開口パターンが形成されたマスク８４０を用いて合成樹脂７４１をパターニングして一部領域の合成樹脂７４１を除去する。
【０１２１】
結果的に、振動活性層７４２は、合成樹脂７４１が残存する凸部と合成樹脂７４１が除去された凹部で形成され、凹部には空気層（ａ）が形成される。
合成樹脂７４１は、アクリル系紫外線硬化型樹脂であって、アクリレート系、エポキシアクリレート系、ポリエステルアクリレート系、ウレタンアクリレート系などの光重合性モノマーとオリゴマーや、アセトフェノン系、ベンゾフェノン系、チオキサントン系等を含む。
【０１２２】
図３０は、図２３に示した振動活性層のさらに他の実施形態の形成工程を説明するための工程断面図である。
図３０を参照すると、スピーカーフィルム７２０の第１金属電極７２２上にスペーサ７５１が含まれた透明粘着剤７５２を塗布して振動活性層７５３を形成する。透明粘着剤７５２は、スピーカーフィルム７２０の振動と同期して振動する弾性材質である。
【０１２３】
即ち、スペーサ７５１は、スピーカーフィルム７２０と表示装置とのギャップを維持し、透明粘着剤７５２は、その弾性によってスピーカーフィルム７２０の振動を活性化する。
【０１２４】
図３１は、本発明の更に他の実施形態による表示装置の断面図である。以下では、図２３に示した表示装置と同一の構成要素に対しては同一符号を付与して説明し、同一の構成要素に対する詳細な説明は省略する。
図３１を参照すると、本発明の更に他の実施形態による表示装置は、表示アセンブリ、音源出力部（図示せず）、スピーカーフィルム９２０、及び振動活性層９３０を含む。表示アセンブリは、収納容器６０１、バックライトアセンブリ６５０、及びパネルアセンブリ６９０を含む。
【０１２５】
収納容器６０１は、収納空間を有し、バックライトアセンブリ６５０とパネルアセンブリ６９０を収納する。バックライトアセンブリ６５０は、パネルアセンブリ６９０側に光を出射する。パネルアセンブリ６９０は、電気的及び光学的な特性を用いて画像を表示する。
【０１２６】
スピーカーフィルム９２０は、収納容器６０１の一側壁に配置される。例えば、スピーカーフィルム９２０は、収納容器６０１の側壁のいずれか一つに隣接するように配置することができる。
【０１２７】
スピーカーフィルム９２０は、圧電フィルム９２１と圧電フィルム９２１の第１面に形成された第１金属電極９２２及び圧電フィルム９２１の第２面に形成された第２金属電極９２３に含む。第１電極９２２は、第２電極９２３より収納容器６０１の側壁に更に近くに配置することができる。第１電極９２２及び第２電極９２３は平板形状を有し、圧電フィルム９２１の表面と同一の面積を有することができる。
【０１２８】
圧電フィルム９２１は、音源出力部（図示せず）から出力された第２音源信号を機械的な振動に変換して音波を放射する。圧電フィルム９２１は、望ましくはポリフッ化ビニリデン（ＰＶＤＦ）やそれの誘導体で形成される。
【０１２９】
第１金属電極９２２及び第２金属電極９２３は、音源出力部（図示せず）から出力された第２音源信号が印加され、第２音源信号は、圧電フィルム９２１を駆動させる。第１金属電極９２２及び第２金属電極９２３は、金属物質または透明導電性物質で圧電フィルム９２１の第１面及び第２面にコーティングされる。
【０１３０】
振動活性層９３０は、スピーカーフィルム９２０の振動を活性化させるための空気層を有するバブル層またはエンボシング層や、スペーサを含む弾性材質の透明粘着層である。振動活性層９３０は、スピーカーフィルム９２０が付着される表示装置の一側壁と表示装置の一側壁に対向して配置されたスピーカーフィルム９２０の一面との間に形成される。ここで、振動活性層９３０が収納容器６０１の側壁とスピーカーフィルム９２０の第１電極９２２との間に配置することもできる。
したがって、表示装置に側壁に付着されたスピーカーフィルム９２０の第１面は、振動活性層９３０によって振動が活性化する。勿論、スピーカーフィルム９２０の第２面もまた一定のギャップの空気層を有するように配置される。
【０１３１】
図３２は、本発明の更に他の実施形態による表示装置の分解斜視図である。以下では、図２３に示した表示装置と同一の構成要素に対しては同一の図面符号を付与して説明し、同一の構成要素に対する詳細な説明は省略する。
【０１３２】
図３２を参照すると、表示装置は、表示アセンブリ６００、音源出力部９５０、スピーカーフィルム９６０、及び振動活性層９７０を含む。表示アセンブリ６００は、収納容器６０１と、バックライトアセンブリ６５０、及びパネルアセンブリ６９０を含む。
音源出力部９５０は、外部装置から提供された第１音源信号をスピーカーフィルム９６０を駆動させる第２音源信号に変換してスピーカーフィルム９６０に出力する。
【０１３３】
スピーカーフィルム９６０は、表示パネル６８３上に配置され、圧電フィルム９６１と圧電フィルム９６１の第１面に形成された第１金属電極９６２及び圧電フィルム９６１の第２面に形成された第２金属電極９６３を含む。第１電極９６２及び第２電極９６３は、平板形状を有して圧電フィルム９６１と同一の面積を有することができる。
【０１３４】
圧電フィルム９６１は、電気信号である第２音源信号を機械的な振動に変換して音波を放射する。圧電フィルム９６１は、ポリフッ化ビニリデン（ＰＶＤＦ）やそれの誘導体で形成される。また、ヘキサフルオロプロピレン（ＨＦＰ）などの添加物を入れたＰＶＤＦ−ＨＦＰ高分子混合物、及びフッ化ビニリデン／三フッ化エチレン（ＶＤＦ／ＴｒＦＥ）などの混成重合体などから選択して形成することができる。
【０１３５】
第１金属電極９６２及び第２金属電極９６３は、音源出力部９５０から出力された第２音源信号が印加され、圧電フィルム９６１を駆動させて音波を放射させる。第１金属電極９６２及び第２金属電極９６３は、望ましくは、透明導電性物質で圧電フィルム９６１の第１面及び第２面にコーティングされる。透明導電性物質は、インジウムスズ酸化物（ＩＴＯ）、インジウム亜鉛オキサイド（ＩＺＯ）またはインジウムスズ亜鉛酸化物（ＩＴＺＯ）を含む。
【０１３６】
振動活性層９７０は、スピーカーフィルム９６０の振動を活性化するための空気層を有するバブル層またはエンボシング層や、スペーサを有する弾性材質の透明粘着層である。振動活性層９７０は、スピーカーフィルム９６０が付着される表示パネル６８３の一面と表示パネル６８３の一面に対向するスピーカーフィルム９６０の一面との間に形成される。また、振動活性層９７０は、表示パネル６８３のカラーフィルタ基板６８２とスピーカーフィルム９６０の第１電極９６２との間に配置することができる。ここで、振動活性層９７０は、望ましくは透明な材質で形成される。
【０１３７】
したがって、表示パネル６８３に付着されたスピーカーフィルム９６０の第１面は、振動活性層９７０によって振動が活性化する。勿論、スピーカーフィルム９６０の第２面もまた空気層を有するするように配置される。
【０１３８】
尚、本発明は、上述の実施形態に限られるものではない。本発明の技術的範囲から逸脱しない範囲内で多様に変更実施することが可能である。
【図面の簡単な説明】
【０１３９】
【図１】本発明の一実施形態による偏光フィルムアセンブリの概略的な断面図である。
【図２】本発明の他の実施形態による偏光フィルムアセンブリの概略的な断面図である。
【図３】図１に示した偏光フィルムアセンブリの製造方法を説明するための工程断面図である。
【図４】図１に示した偏光フィルムアセンブリの製造方法を説明するための工程断面図である。
【図５】図１に示した偏光フィルムアセンブリの製造方法を説明するための工程断面図である。
【図６】図１に示した偏光フィルムアセンブリの製造方法を説明するための工程断面図である。
【図７】図１に示した偏光フィルムアセンブリの製造方法を説明するための工程断面図である。
【図８】図１の振動活性層の一実施形態の形成工程を説明するための工程断面図である。
【図９】図１の振動活性層の一実施形態の形成工程を説明するための工程断面図である。
【図１０】図１の振動活性層の他の実施形態の形成工程を説明するための工程断面図である。
【図１１】図１の振動活性層の他の実施形態の形成工程を説明するための工程断面図である。
【図１２】図１の振動活性層のさらに他の実施形態の形成工程を説明するための工程断面図である。
【図１３】図１の振動活性層のさらに他の実施形態の形成工程を説明するための工程断面図である。
【図１４】図１の振動活性層のさらに他の実施形態の形成工程を説明するための工程断面図である。
【図１５】本発明の一実施形態による表示パネルモジュールの平面図である。
【図１６】図１５に示したＩ−Ｉ’線に沿って見た断面図である。
【図１７】図１５に示した表示パネルモジュールの動作モードによる光経路を説明するための概念図である。
【図１８】図１５に示した表示パネルモジュールの動作モードによる光経路を説明するための概念図である。
【図１９】本発明の他の実施形態による表示パネルモジュールの平面図である。
【図２０】図１９に示したＩＩ−ＩＩ’線に沿って見た断面図である。
【図２１】本発明の一実施形態による表示装置に対する概略的なブロック図である。
【図２２】図２１に示した音源出力部に対する詳細なブロック図である。
【図２３】本発明の他の実施形態による表示装置の斜視図である。
【図２４】図２３に示した表示装置の概略的な断面図である。
【図２５】図２３に示したフィルムスピーカーの駆動方式を説明するための概略ブロック図である。
【図２６】図２３に示した振動活性層の一実施形態の形成工程を説明するための工程断面図である。
【図２７】図２３に示した振動活性層の一実施形態の形成工程を説明するための工程断面図である。
【図２８】図２３に示した振動活性層の他の実施形態の形成工程を説明するための工程断面図である。
【図２９】図２３に示した振動活性層の他の実施形態の形成工程を説明するための工程断面図である。
【図３０】図２３に示した振動活性層のさらに他の実施形態の形成工程を説明するための工程断面図である。
【図３１】本発明の更に他の実施形態による表示装置の断面図である。
【図３２】本発明の更に他の実施形態による表示装置の分解斜視図である。
【符号の説明】
【０１４０】
１００      偏光フィルムアセンブリ（偏光部材）
１１０、２１０    偏光フィルム
１２０、２２０、７３０    振動活性層
１２１      連結部
１３０、２３０、７２０    スピーカーフィルム
１３１      圧電フィルム
１３２      第１金属電極
１３３      第２金属電極
１４０      保護フィルム
１５１、１５２    第１、第２配線（配線部）
４００      表示パネル
５１０      タイミング制御部
５２０      電圧発生部
５３０      基準ガンマ電圧発生部
５４０      ソース駆動部
５５０      ゲート駆動部
５７０      表示部
６００      表示アセンブリ
６５０      バックライトアセンブリ
６９０      パネルアセンブリ
７１０      音源出力部
【図１】
2007028641.tif 000003
【図２】
2007028641.tif 000004
【図３】
2007028641.tif 000005
【図４】
2007028641.tif 000006
【図５】
2007028641.tif 000007
【図６】
2007028641.tif 000008
【図７】
2007028641.tif 000009
【図８】
2007028641.tif 000010
【図９】
2007028641.tif 000011
【図１０】
2007028641.tif 000012
【図１１】
2007028641.tif 000013
【図１２】
2007028641.tif 000014
【図１３】
2007028641.tif 000015
【図１４】
2007028641.tif 000016
【図１５】
2007028641.tif 000017
【図１６】
2007028641.tif 000018
【図１７】
2007028641.tif 000019
【図１８】
2007028641.tif 000020
【図１９】
2007028641.tif 000021
【図２０】
2007028641.tif 000022
【図２１】
2007028641.tif 000023
【図２２】
2007028641.tif 000024
【図２３】
2007028641.tif 000025
【図２４】
2007028641.tif 000026
【図２５】
2007028641.tif 000027
【図２６】
2007028641.tif 000028
【図２７】
2007028641.tif 000029
【図２８】
2007028641.tif 000030
【図２９】
2007028641.tif 000031
【図３０】
2007028641.tif 000032
【図３１】
2007028641.tif 000033
【図３２】
2007028641.tif 000034